(57)【特許請求の範囲】
【請求項１】
ネットワーク複合機と、前記ネットワーク複合機と通信を行う携帯端末とを有し、前記携帯端末はプリンタに接続して前記ネットワーク複合機から送信された画像ファイルを印刷する携帯端末印刷システムであって、
前記ネットワーク複合機は、
画像ファイルを前記プリンタで印刷出力可能なデータ形式とＷｅｂブラウザによって閲覧可能なデータ形式に変換する変換手段と、
前記変換手段により前記プリンタで印刷出力可能なデータ形式に変換された画像ファイルと前記Ｗｅｂブラウザによって閲覧可能なデータ形式に変換された画像ファイルとを保存する保存手段とを有し、
前記携帯端末は、
前記ネットワーク複合機にアクセスして前記Ｗｅｂブラウザによって閲覧可能なデータ形式に変換された画像を表示する手段と、
ユーザ操作により前記画像ファイルの印刷要求があった場合、前記ネットワーク複合機に前記プリンタで印刷出力可能なデータ形式に変換された画像ファイルを要求し、前記プリンタに出力して印刷を行わせる手段と、
を備えたことを特徴とする携帯端末印刷システム。
【請求項２】
前記ネットワーク複合機は、更に、
ＦＡＸを送受信する手段と、
予めどの発信元から受信したＦＡＸをどの宛先の携帯端末に転送するかを示す転送情報を記憶する記憶手段と、
前記ＦＡＸの受信時に前記記憶手段に記憶している転送情報を参照して前記ＦＡＸの発信元が前記転送情報に登録され、前記受信したＦＡＸが転送対象かどうかを判断する判断手段と、
前記判断結果に基づき前記受信したＦＡＸが転送対象の場合に前記転送情報に登録されている前記受信したＦＡＸの発信元に対応する宛先の携帯端末に前記ＦＡＸの受信を通知する通知手段とを有し、
前記変換手段は、前記判断結果に基づき前記受信したＦＡＸが転送対象の場合に前記受信したＦＡＸの画像ファイルを前記プリンタで印刷出力可能なデータ形式と前記Ｗｅｂブラウザによって閲覧可能なデータ形式に変換することを特徴とする請求項１に記載の携帯端末印刷システム。
【請求項３】
前記ネットワーク複合機は、前記通知手段からの通知に基づいて前記受信したＦＡＸの発信元に対応する宛先の携帯端末から前記プリンタで印刷出力可能なデータ形式に変換された画像ファイルの送信要求があった場合、前記保存手段に保存している前記プリンタで印刷出力可能なデータ形式に変換された画像ファイルを送信することを特徴とする請求項１又は２に記載の携帯端末印刷システム。
【請求項４】
携帯端末と通信を行い、画像ファイルを前記携帯端末に送信するネットワーク複合機であって、
画像ファイルを前記プリンタで印刷出力可能なデータ形式とＷｅｂブラウザによって閲覧可能なデータ形式に変換する変換手段と、
前記変換手段により前記プリンタで印刷出力可能なデータ形式に変換された画像ファイルと、前記Ｗｅｂブラウザによって閲覧可能なデータ形式に変換された画像ファイルとを保存する保存手段と、
を有することを特徴とするネットワーク複合機。
【請求項５】
ＦＡＸを送受信する手段と、
予めどの発信元から受信したＦＡＸをどの宛先の携帯端末に転送するかを示す転送情報を記憶する記憶手段と、
前記ＦＡＸの受信時に前記記憶手段に記憶している転送情報を参照して前記ＦＡＸの発信元が前記転送情報に登録され、前記受信したＦＡＸが転送対象かどうかを判断する判断手段と、
前記判断結果に基づき前記受信したＦＡＸが転送対象の場合に前記転送情報に登録されている前記受信したＦＡＸの発信元に対応する宛先の携帯端末に前記ＦＡＸの受信を通知する通知手段とを有し、
前記変換手段は、前記判断結果に基づき前記受信したＦＡＸが転送対象の場合に前記受信したＦＡＸの画像ファイルを前記プリンタで印刷出力可能なデータ形式と前記Ｗｅｂブラウザによって閲覧可能なデータ形式に変換することを特徴とする請求項４に記載のネットワーク複合機。
【請求項６】
前記通知手段からの通知に基づいて前記受信したＦＡＸの発信元に対応する宛先の携帯端末から前記プリンタで印刷出力可能なデータ形式に変換された画像ファイルの送信要求があった場合、前記保存手段に保存している前記プリンタで印刷出力可能なデータ形式に変換された画像ファイルを送信することを特徴とする請求項４又は５に記載のネットワーク複合機。
【請求項７】
ネットワーク複合機と通信を行い、プリンタに接続して前記ネットワーク複合機から送信された画像ファイルを印刷する携帯端末であって、
前記ネットワーク複合機にアクセスして送信すべき画像ファイルがＷｅｂブラウザにより閲覧可能なデータ形式に変換された画像を表示する手段と、
ユーザ操作により前記画像ファイルの印刷要求があった場合に前記ネットワーク複合機に前記プリンタで印刷出力可能なデータ形式に変換された画像ファイルを要求し、前記プリンタに出力して印刷を行わせる手段と、
を備えたことを特徴とする携帯端末。
【請求項８】
ネットワーク複合機と、前記ネットワーク複合機と通信を行う携帯端末とを有し、前記携帯端末はプリンタに接続して前記ネットワーク複合機から送信された画像ファイルを印刷する携帯端末印刷方法であって、
前記ネットワーク複合機が、
画像ファイルを前記プリンタで印刷出力可能なデータ形式とＷｅｂブラウザによって閲覧可能なデータ形式に変換するステップと、
前記変換手段により前記プリンタで印刷出力可能なデータ形式に変換された画像ファイルと前記Ｗｅｂブラウザによって閲覧可能なデータ形式に変換された画像ファイルとを保存するステップと、
前記携帯端末が、
前記ネットワーク複合機にアクセスして前記Ｗｅｂブラウザによって閲覧可能なデータ形式に変換された画像を表示するステップと、
ユーザ操作により前記画像ファイルの印刷要求があった場合、前記ネットワーク複合機に前記プリンタで印刷出力可能なデータ形式に変換された画像ファイルを要求し、前記プリンタに出力して印刷を行わせるステップと、
を含むことを特徴とする携帯端末印刷方法。
【請求項９】
携帯端末と通信を行い、画像ファイルを前記携帯端末に送信するネットワーク複合機としてコンピュータを機能させるためのプログラムであって、
前記コンピュータを、
画像ファイルを前記プリンタで印刷出力可能なデータ形式とＷｅｂブラウザによって閲覧可能なデータ形式に変換する手段と、
前記プリンタで印刷出力可能なデータ形式に変換された画像ファイルと前記Ｗｅｂブラウザによって閲覧可能なデータ形式に変換された画像ファイルとを保存する手段と、
して機能させるためのプログラム。
【請求項１０】
ネットワーク複合機と通信を行い、プリンタに接続して前記ネットワーク複合機から送信された画像ファイルを印刷する携帯端末としてコンピュータを機能させるためのプログラムであって、
前記コンピュータを、
前記ネットワーク複合機にアクセスして送信すべき画像ファイルがＷｅｂブラウザによって閲覧可能なデータ形式に変換された画像を表示する手段と、
ユーザ操作により前記画像ファイルの印刷要求があった場合、前記ネットワーク複合機に前記プリンタで印刷出力可能なデータ形式に変換された画像ファイルを要求し、前記プリンタに出力して印刷を行わせる手段と、
して機能させるためのプログラム。
【発明の詳細な説明】
【技術分野】
【０００１】
本発明は、データを印刷する携帯端末印刷システム及び方法、特に、携帯端末が遠隔地から受信した画像を外出先等のプリンタを用いて印刷する携帯端末印刷システム及び方法に関するものである。
【背景技術】
【０００２】
従来、通信端末から送信された画像データを携帯端末に接続されたプリンタを用いて印刷する印刷システムが知られている。この印刷システムの一例が特許文献１に記載されている。特許文献１のシステムは、サーバと、そのサーバとそれぞれ通信可能な通信端末及び携帯端末と、その携帯端末と通信可能なプリンタとを備えている。特許文献１のシステムでは、サーバが通信端末から受信した画像データを印刷データに変換し、携帯端末からの要求に応じて印刷データを送信し、携帯端末は送信された印刷データをプリンタに転送して印刷を行う。
【０００３】
特許文献１の印刷システムでは、独自のアプリケーションサーバを用意しなければならず、アプリケーションサーバを用いるとシステム規模が大きくなってしまい、多大なコストや手間がかかる。また、携帯端末からの要求に応じて印刷データを携帯端末に送信するだけであるため、携帯端末のユーザは通信端末から送信された画像を確認できないまま印刷を行うことになる。
【０００４】
また、特許文献２には、携帯端末で送受信されるデータ等を印刷するプリンタ装置が記載されている。特許文献２では、インターフェースプロトコル制御部が携帯電話とプリンタとの間を接続するインターフェース及びデータ送受信プロトコルを制御し、ネット処理制御部が携帯電話システムから受信した指示を解析し、印刷処理指示部に印刷指示を出力することが記載されている。
【０００５】
更に、特許文献３には、携帯端末と画像送信装置との間でメール機能を利用して画像データの送受信を行うことが記載されている。そして、画像送信装置はメールアドレスからドメイン名を抽出し、ドメイン名に応じて画像データのファイル形式を変換することが記載されている。ファイル形式は送信先の携帯端末で使用されているアプリケーションのファイル形式であり、画像送信装置は変換されたデータを送信先の携帯端末のメールアドレスに送信する。
【先行技術文献】
【特許文献】
【０００６】
【特許文献１】特開２００９−２３２０５１号公報
【特許文献２】特開２００１−２９０６１５号公報
【特許文献３】特開２００９−２７８３３０号公報
【発明の概要】
【発明が解決しようとする課題】
【０００７】
特許文献１の印刷システムでは、上述のように独自のアプリケーションサーバを用意しなければならず、アプリケーションサーバを用いるとシステム規模が大きくなってしまい、多大なコストや手間がかかるばかりでなく、携帯端末からの要求に応じて印刷データを携帯端末に送信するだけであるため、携帯端末のユーザは通信端末（ネットワーク複合機）から送信された画像を確認できない。
【０００８】
また、特許文献２には、上述のようにインターフェースプロトコル制御部が携帯電話とプリンタとの間を接続するインターフェース及びデータ送受信プロトコルを制御すること等が記載され、特許文献３には、画像送信装置がメールアドレスからドメイン名を抽出し、ドメイン名に応じて画像データのファイル形式を変換すること等が記載されているが、上述のような携帯端末のユーザが通信端末から送信された画像を確認できないという課題を解決するものではない。
【０００９】
本発明の目的は、ユーザがネットワーク複合機から離れた場所にいてもネットワーク複合機からの画像を確認してから印刷を行うことが可能な携帯印刷システム及び方法、ネットワーク複合機、携帯端末を提供することにある。
【課題を解決するための手段】
【００１０】
本発明に係る携帯印刷システムは、ネットワーク複合機と、前記ネットワーク複合機と通信を行う携帯端末とを有し、前記携帯端末はプリンタに接続して前記ネットワーク複合機から送信された画像ファイルを印刷する携帯端末印刷システムであって、前記ネットワーク複合機は、画像ファイルを前記プリンタで印刷出力可能なデータ形式とＷｅｂブラウザによって閲覧可能なデータ形式に変換する変換手段と、前記変換手段により前記プリンタで印刷出力可能なデータ形式に変換された画像ファイルと前記Ｗｅｂブラウザによって閲覧可能なデータ形式に変換された画像ファイルとを保存する保存手段とを有し、前記携帯端末は、前記ネットワーク複合機にアクセスして前記Ｗｅｂブラウザによって閲覧可能なデータ形式に変換された画像を表示する手段と、ユーザ操作により前記画像ファイルの印刷要求があった場合、前記ネットワーク複合機に前記プリンタで印刷出力可能なデータ形式に変換された画像ファイルを要求し、前記プリンタに出力して印刷を行わせる手段と、を備えたことを特徴とする。
【００１１】
また、本発明に係るネットワーク複合機は、携帯端末と通信を行い、画像ファイルを前記携帯端末に送信するネットワーク複合機であって、画像ファイルを前記プリンタで印刷出力可能なデータ形式とＷｅｂブラウザによって閲覧可能なデータ形式に変換する変換手段と、前記変換手段により前記プリンタで印刷出力可能なデータ形式に変換された画像ファイルと、前記Ｗｅｂブラウザによって閲覧可能なデータ形式に変換された画像ファイルとを保存する保存手段と、を有することを特徴とする。
【００１２】
また、本発明に係る携帯端末は、ネットワーク複合機と通信を行い、プリンタに接続して前記ネットワーク複合機から送信された画像ファイルを印刷する携帯端末であって、前記ネットワーク複合機にアクセスして送信すべき画像ファイルがＷｅｂブラウザにより閲覧可能なデータ形式に変換された画像を表示する手段と、ユーザ操作により前記画像ファイルの印刷要求があった場合に前記ネットワーク複合機に前記プリンタで印刷出力可能なデータ形式に変換された画像ファイルを要求し、前記プリンタに出力して印刷を行わせる手段と、を備えたことを特徴とする。
【００１３】
また、本発明に係る携帯端末印刷方法は、ネットワーク複合機と、前記ネットワーク複合機と通信を行う携帯端末とを有し、前記携帯端末はプリンタに接続して前記ネットワーク複合機から送信された画像ファイルを印刷する携帯端末印刷方法であって、前記ネットワーク複合機が、画像ファイルを前記プリンタで印刷出力可能なデータ形式とＷｅｂブラウザによって閲覧可能なデータ形式に変換するステップと、前記変換手段により前記プリンタで印刷出力可能なデータ形式に変換された画像ファイルと前記Ｗｅｂブラウザによって閲覧可能なデータ形式に変換された画像ファイルとを保存するステップと、前記携帯端末が、前記ネットワーク複合機にアクセスして前記Ｗｅｂブラウザによって閲覧可能なデータ形式に変換された画像を表示するステップと、ユーザ操作により前記画像ファイルの印刷要求があった場合、前記ネットワーク複合機に前記プリンタで印刷出力可能なデータ形式に変換された画像ファイルを要求し、前記プリンタに出力して印刷を行わせるステップと、を含むことを特徴とする。
【００１４】
また、本発明に係るプログラムは、携帯端末と通信を行い、画像ファイルを前記携帯端末に送信するネットワーク複合機としてコンピュータを機能させるためのプログラムであって、前記コンピュータを画像ファイルを前記プリンタで印刷出力可能なデータ形式とＷｅｂブラウザによって閲覧可能なデータ形式に変換する手段と、前記プリンタで印刷出力可能なデータ形式に変換された画像ファイルと前記Ｗｅｂブラウザによって閲覧可能なデータ形式に変換された画像ファイルとを保存する手段と、して機能させることを特徴とする。
【００１５】
また、本発明に係るプログラムは、ネットワーク複合機と通信を行い、プリンタに接続して前記ネットワーク複合機から送信された画像ファイルを印刷する携帯端末としてコンピュータを機能させるためのプログラムであって、前記コンピュータを、前記ネットワーク複合機にアクセスして送信すべき画像ファイルがＷｅｂブラウザによって閲覧可能なデータ形式に変換された画像を表示する手段と、ユーザ操作により前記画像ファイルの印刷要求があった場合、前記ネットワーク複合機に前記プリンタで印刷出力可能なデータ形式に変換された画像ファイルを要求し、前記プリンタに出力して印刷を行わせる手段と、して機能させることを特徴とする。
【発明の効果】
【００１６】
本発明によれば、ユーザがネットワーク複合機から離れた場所にいても、ネットワーク複合機からの画像を確認してから印刷を行うことができ、必要な画像のみを印刷することが可能となる。
【図面の簡単な説明】
【００１７】
【図１】本発明に係る携帯端末印刷システムの第１の実施形態を示すブロック図である。
【図２】ネットワーク複合機の転送情報登録領域２１に登録する情報の一例を示す図である。
【図３】図１の実施形態のネットワーク複合機の動作を説明するフローチャートである。
【図４】図１の実施形態の携帯端末の動作を説明するフローチャートである。
【図５】本発明に係る携帯端末印刷システムの第２の実施形態を示すブロック図である。
【図６】図５の実施形態のネットワーク複合機の動作を説明するフローチャートである。
【図７】図５の実施形態の携帯端末の動作を説明するフローチャートである。
【発明を実施するための形態】
【００１８】
次に、発明を実施するための形態について図面を参照して詳細に説明する。図１は本発明に係る携帯端末印刷システムの第１の実施形態を示すブロック図である。図中１００はＦＡＸ等の画像ファイル受信等を行うネットワーク複合機、２００はネットワーク複合機１００から画像データを受信して印刷指示を行う携帯端末、３００は携帯端末２００からの印刷指示に従い画像ファイルを印刷するプリンタである。ネットワーク複合機１００と携帯端末２００はインターネット等の通信ネットワークで接続されている。携帯端末２００とプリンタ３００はBluetooth等の通信手段で接続でき、携帯端末２００からプリンタ３００に画像データを送信して印刷を行う。
【００１９】
ネットワーク複合機１００は、例えば、オフィス等に設置され、通常のファクシミリ送受信機能を備えている。また、ネットワーク複合機１００は送信すべき原稿等の画像データ等をスキャナー機能によって読み取り、読み取った画像ファイル等を電子メールに添付してインターネット等の通信ネットワーク上の携帯端末２００に送信する機能等も備えている。その際、後述するように読み取った画像ファイル等をＷｅｂブラウザにより閲覧可能なファイル形式に変換することでユーザはＷｅｂブラウザにより画像を確認することが可能となる。
【００２０】
ネットワーク複合機１００は、画像データ等の送信や受信、受信した画像データ等の変換等を行う制御部１と転送情報等を記憶する記憶部２を備えている。制御部１はＦＡＸ受信機能１１、発信元確認機能１２、画像変換機能１３、転送機能１４を備えている。記憶部２は転送情報登録領域２１を有する。
【００２１】
ＦＡＸ受信機能１１は、他のファクシミリ装置からＦＡＸの送信があった場合、それを受信する。発信元確認機能１２は、ＦＡＸ受信機能１１で受信したＦＡＸから発信元情報を取得し、転送対象の画像か否かを判断する。画像変換機能１３は、発信元確認機能１２により転送対象と判断された画像データ等に対してプリンタ３００で変換せずに印刷可能なデータ形式に変換する。
【００２２】
転送機能１４は、画像変換機能１３により変換された画像データを転送情報登録領域２１に登録された転送先へ転送する。転送情報登録領域２１には、受信したＦＡＸの発信元と、転送機能１４により転送を行う宛先とが関連付けて登録されている。つまり、予めどの発信元からのＦＡＸをどの宛先（携帯端末）に送信するかという転送情報が登録され、受信したＦＡＸの発信元が登録されていれば、その発信元に対応する宛先に受信したＦＡＸの画像データを転送する。
【００２３】
図２は転送情報登録領域２１に登録する転送情報の一例を示す。発信元の情報２１１には、転送対象となる発信元と、どの宛先に転送するかの情報が含まれている。転送先の情報２１２は具体的な転送先の宛先であり、発信元の情報の発信元１、２、３、…、は、それぞれ宛先１、２、３、…、に対応する。
【００２４】
ネットワーク複合機１００と通信を行う携帯端末２００は、データの受信や印刷指示等を行う制御部３、受信したデータを保存する記憶部４を備えている。制御部３はデータ受信機能３１、データ保存機能３２、印刷指示機能３３を備えている。記憶部４は画像データ格納領域４１を備えている。
【００２５】
データ受信機能３１は、電子メール等の通信手段によりデータが送信されてきた場合、それを受信する。データ保存機能３２は受信した画像データ等をデータ格納領域４１に保存する。印刷指示機能３３はデータ格納領域４１に保存されているデータをBluetooth等の通信手段を用いてプリンタ３００に送信する。
【００２６】
携帯端末２００との通信が可能なプリンタ３００は制御部５を有し、制御部５は印刷指示受信機能５１と印刷機能５２とを備えている。印刷指示受信機能５１は携帯端末２００から送信された印刷指示を受信し、印刷機能５２は携帯端末２００から受信した印刷指示に従い、携帯端末２００から送信されたデータを印刷する。
【００２７】
次に、図１、図２及び図３、図４を参照して本実施形態の動作について詳細に説明する。図３はネットワーク複合機１００のＦＡＸ受信時の動作を説明するフローチャート、図４は携帯端末２００のネットワーク複合機１００からの画像データ受信時の動作を説明するフローチャートである。
【００２８】
ネットワーク複合機１００は、図３に示すようにＦＡＸ受信機能１１により他のファクシミリ装置からＦＡＸを受信すると（ステップＡ１）、転送対象の発信元からのＦＡＸ受信かを判断する（ステップＡ２）。即ち、受信したＦＡＸが図２に示すような転送情報登録領域２１に登録された発信元から受信したＦＡＸであるかを発信元確認機能１２により判断する。
【００２９】
受信したＦＡＸを転送情報登録領域２１に登録された発信元から受信した場合には（ステップＡ２がイエス）、画像変換機能１３により受信した画像データ等をプリンタ３００で印刷出力可能なデータ形式に変換する（ステップＡ３）。次いで、転送情報登録領域２１を参照して、予め受信したＦＡＸの発信元と関連付けられた転送先の宛先を指定し、転送機能１４により電子メール等のネットワークによる通信手段を用いて転送を行う（ステップＡ４）。例えば、図２に示す発信元１からＦＡＸを受信した場合にはそれに対応する宛先１の携帯端末２００に電子メール等の通信手段を用いてプリンタ３００で印刷出力可能なデータ形式に変換された画像データを転送する。
【００３０】
一方、受信したＦＡＸが転送情報登録領域２１に登録されていない発信元から受信したＦＡＸの場合には（ステップＡ２がノー）、ネットワーク複合機１００は、印刷または受信データの保存等のネットワーク複合機１００で予め設定された受信時の動作を行う（ステップＡ５）。
【００３１】
図４は携帯端末２００の動作を説明するフローチャートである。携帯端末２００はネットワーク複合機１００から図３のステップＡ４で電子メールによって送信された画像データ等をデータ受信機能３１により受信すると（ステップＢ１）、受信した画像データをデータ保存機能３２によりデータ格納領域４１に保存する（ステップＢ２）。その際、ユーザが保存されたデータに印刷コマンドを付加してプリンタ３００へ送信することによりプリンタ３００にて印刷を行うことが可能である。
【００３２】
即ち、ステップＢ３でユーザ操作による印刷指示があったかを判断し（ステップＢ３）、印刷指示があった場合には（ステップＢ３がイエス）、印刷指示機能３３によりデータ格納領域４１に保存されたデータに印刷指示コマンドを付加し、Bluetooth等の通信手段を用いてプリンタ３００に送信する（ステップＢ４）。プリンタ３００は印刷指示受信機能５１によって携帯端末２００から送信されたデータを受信し、印刷機能５２によって受信したデータの印刷を開始する。また、ステップＢ３にて印刷指示がない場合には、そのまま処理を終了する。
【００３３】
次に、具体例を挙げて本実施形態の動作を更に詳細に説明する。ネットワーク複合機１００が設置されているオフィス等で人が不在の場合、ネットワーク複合機１００の転送情報登録領域２１にどの発信元からＦＡＸを受信した場合、どの宛先に転送するかという転送情報を予め登録しておく。
【００３４】
ネットワーク複合機１００は、ＦＡＸ受信機能１１により他のファクシミリ装置から送信されたＦＡＸを受信すると、発信元確認機能１２により受信したＦＡＸの発信元が予め転送情報登録領域２１に登録されている発信元（転送対象）かを判断する。ＦＡＸ受信機能１１により転送情報登録領域２１に登録された発信元からＦＡＸを受信したと判断した場合には、画像変換機能１３は受信した画像データ等を、例えば、ＰＲＮファイル形式等に変換する。そして、転送機能１４により転送情報登録領域２１に登録されている発信元に対応する宛先の携帯端末２００にプリンタ３００の種類を問わずに出力可能な形式のデータとして電子メールに添付して転送する。
【００３５】
本実施形態では、通信手段として電子メールを用いているが、その他の通信手段を用いても良い。また、本実施形態ではＰＲＮファイルを例として挙げているが、他のファイル形式に変換しても構わない。
【００３６】
ネットワーク複合機１００は携帯端末２００にデータを送信すると、携帯端末２００はデータ受信機能３１によりデータを受信する。携帯端末２００のデータ保存機能３２は携帯端末２００のデータ格納領域４１に受信したデータを保存する。携帯端末２００を所持するユーザは、印刷指示機能３３によりBluetoothを用いてプリンタ３００にデータを送信することで印刷が可能となる。ここで、携帯端末２００とプリンタ３００の接続方法の一例としてBluetoothを用いているが、携帯端末２００とプリンタ３００が接続可能であれば通信手段は問わないものとする。
【００３７】
このように本実施形態では、ネットワーク複合機１００内に予めどの発信元から受信したＦＡＸをどの宛先に転送するかという転送情報を登録しておくことにより、ユーザがＦＡＸ受信したネットワーク複合機１００の側にいない場合でも、自動的に該当する宛先の携帯端末２００に送信することができ、遠隔地からでも受信した画像を印刷することが可能となる。
【００３８】
また、受信したＦＡＸ画像をネットワーク複合機１００でプリンタ３００にて印刷出力可能なデータ形式に変換して送信することにより、プリンタドライバがインストールされていない携帯端末２００からでもプリンタ３００と接続可能な環境であれば印刷を行うことが可能となる。加えてアプリケーションサーバを介さずともネットワーク複合機１００から携帯端末２００に直接データを送信することができる。また、独自のアプリケーションサーバを用意せずに携帯端末２００に送信可能であるため、システム規模を拡大することなくコストや手間を削減することができる。
【００３９】
更に、ＰＲＮファイルのようにプリンタドライバを使用しなくても印刷可能なファイル形式を使用することにより、携帯端末から送信するプリンタの種類を意識することなく印刷が可能となる。
【００４０】
次に、本発明の第２の実施形態について説明する。図５は本発明に係る携帯端末印刷システムの第２の実施形態を示すブロック図である。図５では図１と同一部分には同一符号を付して説明を省略する。本実施形態では、ユーザが携帯端末２００からＷｅｂブラウザを使用してネットワーク複合機１００にアクセスし、事前にネットワーク複合機が受信したＦＡＸ画像を確認できるようにしたものである。
【００４１】
図５に示すようにネットワーク複合機１００は、図１に示す制御部１の構成（ＦＡＸ受信機能１１、発信元確認機能１２、画像変換機能１３、転送機能１４）に加えてデータ保存機能１５、通知機能１６、取出要求受信機能１７、画像送信機能１８及びデータ削除機能１９を備えている。また、図１に示す記憶部２の構成（転送情報登録領域２１）に加えてデータ格納領域２２を備えている。
【００４２】
図５に示す携帯端末２００の制御部８は、図１に示す制御部３の構成（データ受信機能３１、データ保存機能３２、印刷指示機能３３）に加えてメール受信機能３４及びデータ取出機能３５を備えている。本実施形態のネットワーク複合機１００はＷｅｂサーバ機能を有し、携帯端末２００はＷｅｂブラウズ機能を有する。なお、図５に示すネットワーク複合機１００の制御部６のＦＡＸ受信機能１１、発信元確認機能１２、転送機能１４は図１に示すＦＡＸ受信機能１１、発信元確認機能１２、転送機能１４と同一機能であるが、画像変換機能１３は図１に示す画像変換機能１３の機能に加えてＷｅｂブラウザで閲覧可能なファイル形式に変換する機能を有する。
【００４３】
図５に示す画像保存機能１５は、携帯端末２００から取り出し要求があるまでデータ格納領域２２に画像変換機能１３によって変換されたデータを保存する。通知機能１６は転送情報登録領域２１に登録された発信元に対応する宛先として指定した携帯端末２００にネットワーク複合機１００がＦＡＸを受信したことを電子メールによって通知する。取出要求受信機能１７は携帯端末２００から取出要求があった場合、データ格納領域２２に保存されたデータを取り出す。
【００４４】
更に、図５に示す画像送信機能１８は、取出要求受信機能１７が携帯端末２００から取出要求を受信すると、データ格納領域２２に保存してあるデータを取り出した後、取り出し要求を行った携帯端末２００に対してデータの送信を行う。データ削除機能１９は携帯端末２００に対してデータの送信が完了すると、データ格納領域２２に保存してあるデータを削除する。
【００４５】
また、図５に示す携帯端末２００の制御部８のデータ受信機能３１、データ蓄積機能３２、印刷指示機能３３は図１のそれと同一のため説明は省略する。携帯端末２００のメール受信機能３４は電子メールを受信し、データ取出機能３５は携帯端末２００がネットワーク複合機１００からＦＡＸを受信した旨の通知を受け取った場合、ユーザ操作によりＷｅｂブラウザを利用してネットワーク複合機１００のデータ格納領域２２に保存されているデータを取り出す。
【００４６】
次に、本実施形態の動作を図５、図６、図７を参照して詳細に説明する。図６はネットワーク複合機１００の動作を説明するフローチャート、図７は携帯端末２００の動作を説明するフローチャートである。
【００４７】
始めに、図６を用いてネットワーク複合機１００の動作を説明する。図６のステップＣ１からステップＣ２に示すＦＡＸ受信機能１１及び発信元確認機能１２の動作は図３に示すステップＡ１からステップＡ２の動作と同様であるため説明は省略する。図１では発信元確認機能１２が転送対象の発信元と判断した場合、画像を変換して直ちに転送先の宛先にデータを送信していた。
【００４８】
本実施形態では、発信元確認機能１２が転送情報格納領域２１に予め登録された発信元からのＦＡＸ受信と判断した場合（転送対象と判断した場合）、ネットワーク複合機１００にてデータを保存しておき、携帯端末２００からの取り出し要求を受信した時にデータの送信を行う。
【００４９】
また、ＦＡＸ受信した画像データをＷｅｂブラウザにより閲覧可能なファイル形式、プリンタ３００にて印刷出力可能なファイル形式の両方に変換して保持しておくことにより、携帯端末２００を所持するユーザは、Ｗｅｂブラウザにより受信した画像を確認してからデータの取り出しが可能となる。
【００５０】
具体的には、ステップＣ２において、ネットワーク複合機１００の発信元確認機能１２が転送情報格納領域２１に登録された発信元からのＦＡＸ受信と判断した場合には（ステップＣ２がイエス）、通知機能１６は転送情報登録領域２１に発信元に対応する転送先の宛先として登録された携帯端末２００にＦＡＸ受信した旨を電子メールにより通知する（ステップＣ３）。
【００５１】
電子メールを通知すると、画像変換機能１３により受信したＦＡＸの画像ファイルをＷｅｂブラウザで閲覧可能なファイル形式、プリンタ３００にて印刷出力可能なファイル形式に変換する（ステップＣ４）。変換処理を終了すると、データ保存機能１５はデータ格納領域２２に変換したデータを保存する（ステップＣ５）。
【００５２】
次いで、携帯端末２００からデータの取り出し要求があるかどうかを判断し（ステップＣ６）、携帯端末２００から取り出し要求が送信されると（ステップＣ６がイエス）、取出要求受信機能１７はその要求を受信する。そして、画像送信機能１８はデータ格納領域２２に保存されたプリンタ３００にて印刷出力可能な形式の画像データを取り出し（ステップＣ７）、ＨＴＴＰプロトコルにより送信する（ステップＣ８）。データ送信後、データ削除機能１９はデータ格納領域２２に保存されているデータ送信が完了した画像データを削除する（ステップＣ９）。
【００５３】
一方、受信したＦＡＸが転送情報登録領域２１に登録されていない宛先から受信したＦＡＸの場合には（ステップＣ２がノー）、図３と同様にネットワーク複合機１００は印刷または受信データの保存等のネットワーク複合機１００で予め設定された受信時の動作を行う（ステップＣ１０）。本実施形態では通信手段としてＨＴＴＰプロトコルを用いているが、その他の通信手段を用いてもよい。
【００５４】
次に、図７を用いて携帯端末２００の動作を説明する。なお、図７のステップＤ７〜Ｄ８に示す印刷指示機能３３に関する動作は、図４に示すステップＢ３〜Ｂ４の動作と同一のため説明は省略する。図１に示す実施形態では、携帯端末２００はネットワーク複合機１００からデータが転送された場合のみデータを受信していた。本実施形態では、ネットワーク複合機１００のデータ格納領域２２に保存されたデータに対して取り出し要求を送信し、保存されたデータを取り出す。
【００５５】
まず、図６のステップＣ３でネットワーク複合機１００からＦＡＸを受信した旨の通知が電子メールにより送信されると、メール受信機能３４はネットワーク複合機１００からの通知を受信する（図７のステップＤ１）。この通知を受信すると、携帯端末２００はＷｅｂブラウザを使用してネットワーク複合機１００にアクセスし、ネットワーク複合機１００のデータ格納領域２２に格納されているＷｅｂブラウザで閲覧可能なデータに変換された画像を画面に表示する（ステップＤ２）。
【００５６】
次いで、携帯端末２００はユーザ操作によるデータ取り出し要求があるかを判断し（ステップＤ３）、ユーザからデータ取り出し要求があれば（ステップＤ３がイエス）、データ取出機能３５はネットワーク複合機１００に対してプリンタ３００にて印刷出力可能なデータ形式に変換されたデータを取り出すための要求を、ＨＴＴＰプロトコルにより送信する（ステップＤ４）。
【００５７】
この要求が送信されると、上述のようにネットワーク複合機１００からデータ格納領域２２に格納されたプリンタ３００にて印刷出力可能な形式に変換されたデータの送信が開始され、携帯端末２００のデータ受信機能３１はネットワーク複合機１００から送信されたデータを受信する（ステップＤ５）。データ受信を完了すると、データ保存機能３２はデータ格納領域４１にデータを蓄積する（ステップＤ６）。ステップＤ７、Ｄ８の処理は図４と同様であるので説明は省略する。
【００５８】
本実施形態では、ネットワーク複合機１００でプリンタ３００に印刷出力可能な形式のデータと、Ｗｅｂブラウザで閲覧可能な形式のデータに変換してネットワーク複合機１００の内部に保存することにより、ユーザは携帯端末２００からＷｅｂブラウザを使用してネットワーク複合機１００にアクセスし、画像を確認することが可能となる。そのため、ユーザはネットワーク複合機１００から離れた場所にいても画像を確認してから画像を印刷でき、必要な画像のみを印刷することが可能となる。
【００５９】
以上の実施形態では、ネットワーク複合機１００により受信したＦＡＸ画像を携帯端末２００に送信する例を説明したが、本発明は、例えば、ネットワーク複合機１００が原稿等の画像をスキャナー等で読み取り、読み取った画像ファイルを携帯端末２００に送信する場合にも使用することが可能である。
【００６０】
なお、上記ネットワーク複合機や携帯端末は、ハードウェア、ソフトウェア又はこれらの組合わせにより実現することができる。ソフトウェアによって実現されるとは、コンピュータがプログラムを読み込んで実行することにより実現されることを意味する。
【００６１】
プログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ(Read Only Memory)、ＣＤ−Ｒ、ＣＤ−Ｒ／Ｗ、半導体メモリ（例えば、マスクＲＯＭ、ＰＲＯＭ(Programmable ROM)、ＥＰＲＯＭ(Erasable PROM)、フラッシュＲＯＭ、ＲＡＭ(random access memory)）を含む。
【００６２】
また、プログラムは、様々なタイプの一時的なコンピュータ可読媒体(transitory computer readable medium)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００６３】
なお、上記実施形態の一部又は全部は、以下の付記のようにも記載されうるが、以下には限らない。
【００６４】
（付記１）ネットワーク複合機と、前記ネットワーク複合機と通信を行う携帯端末とを有し、前記携帯端末はプリンタに接続して前記ネットワーク複合機から送信された画像ファイルを印刷する携帯端末印刷システムであって、
前記ネットワーク複合機は、
画像ファイルを前記プリンタで印刷出力可能なデータ形式とＷｅｂブラウザによって閲覧可能なデータ形式に変換する変換手段と、
前記変換手段により前記プリンタで印刷出力可能なデータ形式に変換された画像ファイルと前記Ｗｅｂブラウザによって閲覧可能なデータ形式に変換された画像ファイルとを保存する保存手段とを有し、
前記携帯端末は、
前記ネットワーク複合機にアクセスして前記Ｗｅｂブラウザによって閲覧可能なデータ形式に変換された画像を表示する手段と、
ユーザ操作により前記画像ファイルの印刷要求があった場合、前記ネットワーク複合機に前記プリンタで印刷出力可能なデータ形式に変換された画像ファイルを要求し、前記プリンタに出力して印刷を行わせる手段と、
を備えたことを特徴とする携帯端末印刷システム。
【００６５】
（付記２）前記ネットワーク複合機は、更に、
ＦＡＸを送受信する手段と、
予めどの発信元から受信したＦＡＸをどの宛先の携帯端末に転送するかを示す転送情報を記憶する記憶手段と、
前記ＦＡＸの受信時に前記記憶手段に記憶している転送情報を参照して前記ＦＡＸの発信元が前記転送情報に登録され、前記受信したＦＡＸが転送対象かどうかを判断する判断手段と、
前記判断結果に基づき前記受信したＦＡＸが転送対象の場合に前記転送情報に登録されている前記受信したＦＡＸの発信元に対応する宛先の携帯端末に前記ＦＡＸの受信を通知する通知手段とを有し、
前記変換手段は、前記判断結果に基づき前記受信したＦＡＸが転送対象の場合に前記受信したＦＡＸの画像ファイルを前記プリンタで印刷出力可能なデータ形式と前記Ｗｅｂブラウザによって閲覧可能なデータ形式に変換することを特徴とする付記１に記載の携帯端末印刷システム。
【００６６】
（付記３）前記ネットワーク複合機は、前記通知手段からの通知に基づいて前記受信したＦＡＸの発信元に対応する宛先の携帯端末から前記プリンタで印刷出力可能なデータ形式に変換された画像ファイルの送信要求があった場合、前記保存手段に保存している前記プリンタで印刷出力可能なデータ形式に変換された画像ファイルを送信することを特徴とする付記１又は２に記載の携帯端末印刷システム。
【００６７】
（付記４）携帯端末と通信を行い、画像ファイルを前記携帯端末に送信するネットワーク複合機であって、
画像ファイルを前記プリンタで印刷出力可能なデータ形式とＷｅｂブラウザによって閲覧可能なデータ形式に変換する変換手段と、
前記変換手段により前記プリンタで印刷出力可能なデータ形式に変換された画像ファイルと、前記Ｗｅｂブラウザによって閲覧可能なデータ形式に変換された画像ファイルとを保存する保存手段と、
を有することを特徴とするネットワーク複合機。
【００６８】
（付記５）ＦＡＸを送受信する手段と、
予めどの発信元から受信したＦＡＸをどの宛先の携帯端末に転送するかを示す転送情報を記憶する記憶手段と、
前記ＦＡＸの受信時に前記記憶手段に記憶している転送情報を参照して前記ＦＡＸの発信元が前記転送情報に登録され、前記受信したＦＡＸが転送対象かどうかを判断する判断手段と、
前記判断結果に基づき前記受信したＦＡＸが転送対象の場合に前記転送情報に登録されている前記受信したＦＡＸの発信元に対応する宛先の携帯端末に前記ＦＡＸの受信を通知する通知手段とを有し、
前記変換手段は、前記判断結果に基づき前記受信したＦＡＸが転送対象の場合に前記受信したＦＡＸの画像ファイルを前記プリンタで印刷出力可能なデータ形式と前記Ｗｅｂブラウザによって閲覧可能なデータ形式に変換することを特徴とする付記４に記載のネットワーク複合機。
【００６９】
（付記６）前記通知手段からの通知に基づいて前記受信したＦＡＸの発信元に対応する宛先の携帯端末から前記プリンタで印刷出力可能なデータ形式に変換された画像ファイルの送信要求があった場合、前記保存手段に保存している前記プリンタで印刷出力可能なデータ形式に変換された画像ファイルを送信することを特徴とする付記４又は５に記載のネットワーク複合機。
【００７０】
（付記７）ネットワーク複合機と通信を行い、プリンタに接続して前記ネットワーク複合機から送信された画像ファイルを印刷する携帯端末であって、
前記ネットワーク複合機にアクセスして送信すべき画像ファイルがＷｅｂブラウザにより閲覧可能なデータ形式に変換された画像を表示する手段と、
ユーザ操作により前記画像ファイルの印刷要求があった場合に前記ネットワーク複合機に前記プリンタで印刷出力可能なデータ形式に変換された画像ファイルを要求し、前記プリンタに出力して印刷を行わせる手段と、
を備えたことを特徴とする携帯端末。
【００７１】
（付記８）ネットワーク複合機と、前記ネットワーク複合機と通信を行う携帯端末とを有し、前記携帯端末はプリンタに接続して前記ネットワーク複合機から送信された画像ファイルを印刷する携帯端末印刷方法であって、
前記ネットワーク複合機が、
画像ファイルを前記プリンタで印刷出力可能なデータ形式とＷｅｂブラウザによって閲覧可能なデータ形式に変換するステップと、
前記変換手段により前記プリンタで印刷出力可能なデータ形式に変換された画像ファイルと前記Ｗｅｂブラウザによって閲覧可能なデータ形式に変換された画像ファイルとを保存するステップと、
前記携帯端末が、
前記ネットワーク複合機にアクセスして前記Ｗｅｂブラウザによって閲覧可能なデータ形式に変換された画像を表示するステップと、
ユーザ操作により前記画像ファイルの印刷要求があった場合、前記ネットワーク複合機に前記プリンタで印刷出力可能なデータ形式に変換された画像ファイルを要求し、前記プリンタに出力して印刷を行わせるステップと、
を含むことを特徴とする携帯端末印刷方法。
【００７２】
（付記９）前記ネットワーク複合機は、更に、
ＦＡＸを送受信する手段と、
予めどの発信元から受信したＦＡＸをどの宛先の携帯端末に転送するかを示す転送情報を記憶する記憶手段と、
前記ＦＡＸの受信時に前記記憶手段に記憶している転送情報を参照して前記ＦＡＸの発信元が前記転送情報に登録され、前記受信したＦＡＸが転送対象かどうかを判断する判断手段と、
前記判断結果に基づき前記受信したＦＡＸが転送対象の場合に前記転送情報に登録されている前記受信したＦＡＸの発信元に対応する宛先の携帯端末に前記ＦＡＸの受信を通知する通知手段とを有し、
前記変換手段は、前記判断結果に基づき前記受信したＦＡＸが転送対象の場合に前記受信したＦＡＸの画像ファイルを前記プリンタで印刷出力可能なデータ形式と前記Ｗｅｂブラウザによって閲覧可能なデータ形式に変換することを特徴とする付記８に記載の携帯端末印刷方法。
【００７３】
（付記１０）前記ネットワーク複合機は、前記通知手段からの通知に基づいて前記受信したＦＡＸの発信元に対応する宛先の携帯端末から前記プリンタで印刷出力可能なデータ形式に変換された画像ファイルの送信要求があった場合、前記保存手段に保存している前記プリンタで印刷出力可能なデータ形式に変換された画像ファイルを送信することを特徴とする付記８又は９に記載の携帯端末印刷方法。
【００７４】
（付記１１）携帯端末と通信を行い、画像ファイルを前記携帯端末に送信するネットワーク複合機としてコンピュータを機能させるためのプログラムであって、
前記コンピュータを、
画像ファイルを前記プリンタで印刷出力可能なデータ形式とＷｅｂブラウザによって閲覧可能なデータ形式に変換する手段と、
前記プリンタで印刷出力可能なデータ形式に変換された画像ファイルと前記Ｗｅｂブラウザによって閲覧可能なデータ形式に変換された画像ファイルとを保存する手段と、
して機能させるためのプログラム。
【００７５】
（付記１２）更に、前記コンピュータを、
ＦＡＸを送受信する手段と、
予めどの発信元から受信したＦＡＸをどの宛先の携帯端末に転送するかを示す転送情報を記憶する記憶手段と、
前記ＦＡＸの受信時に前記記憶手段に記憶している転送情報を参照して前記ＦＡＸの発信元が前記転送情報に登録され、前記受信したＦＡＸが転送対象かどうかを判断する判断手段と、
前記判断結果に基づき前記受信したＦＡＸが転送対象の場合に前記転送情報に登録されている前記受信したＦＡＸの発信元に対応する宛先の携帯端末に前記ＦＡＸの受信を通知する通知手段として機能させ、
前記変換手段を、前記判断結果に基づき前記受信したＦＡＸが転送対象の場合に前記受信したＦＡＸの画像ファイルを前記プリンタで印刷出力可能なデータ形式と前記Ｗｅｂブラウザによって閲覧可能なデータ形式に変換する手段として機能させるための付記１１に記載のプログラム。
【００７６】
（付記１３）前記通知手段からの通知に基づいて前記受信したＦＡＸの発信元に対応する宛先の携帯端末から前記プリンタで印刷出力可能なデータ形式に変換された画像ファイルの送信要求があった場合、前記保存手段に保存している前記プリンタで印刷出力可能なデータ形式に変換された画像ファイルを送信する手段として機能させるための付記１１又は１２に記載のプログラム。
【００７７】
（付記１４）ネットワーク複合機と通信を行い、プリンタに接続して前記ネットワーク複合機から送信された画像ファイルを印刷する携帯端末としてコンピュータを機能させるためのプログラムであって、
前記コンピュータを、
前記ネットワーク複合機にアクセスして送信すべき画像ファイルがＷｅｂブラウザによって閲覧可能なデータ形式に変換された画像を表示する手段と、
ユーザ操作により前記画像ファイルの印刷要求があった場合、前記ネットワーク複合機に前記プリンタで印刷出力可能なデータ形式に変換された画像ファイルを要求し、前記プリンタに出力して印刷を行わせる手段と、
して機能させるためのプログラム。
【符号の説明】
【００７８】
１、３、５、６、８  制御部
２、４、７  記憶部
１１  ＦＡＸ受信機能
１２  発信元確認機能
１３  画像変換機能
１４  転送機能
１５  データ保存機能
１６  通知機能
１７  取出要求受信機能
１８  画像転送機能
１９  データ削除機能
２１  転送情報登録領域
２２  データ格納領域
３１  データ受信機能
３２  データ蓄積機能
３３  印刷指示機能
３４  メール受信機能
３５  データ取出機能
４１  データ格納領域
５１  印刷指示受信機能
５２  印刷機能
１００  ネットワーク複合機
２００  携帯端末
３００  プリンタ
【図１】
0005435662.tif 000002
【図２】
0005435662.tif 000003
【図３】
0005435662.tif 000004
【図４】
0005435662.tif 000005
【図５】
0005435662.tif 000006
【図６】
0005435662.tif 000007
【図７】
0005435662.tif 000008